(57)【要約】【課題】止め刺し作業者が意図しない電圧の印加を抑制できる止め刺し器を提供する。【解決手段】止め刺し器１は、絶縁棒２と、絶縁棒２の一端に取付けられた刺針３と、刺針３が取付けられた絶縁棒２の一端から延びる絶縁棒２の延長方向すなわち延長線１６の、鉛直方向下向きすなわち鉛直方向下向き線１５に対する角度Ａを検知可能な角度センサー４と、刺針３への電気的導通のオンとオフを切替え可能なスイッチ部５と、角度センサー４が、刺針３が取付けられた絶縁棒２の一端から延びる絶縁棒２の延長方向の、鉛直方向下向きに対する角度Ａを検知した結果、角度Ａが０度以上９０度未満であり、かつ、スイッチ部５がオンに切替えた場合、刺針３に衝撃電圧を印加可能な電圧印加回路７と、電圧印加回路７と電気的に接続されており、かつ、刺針３に衝撃電圧が印加されたときに刺針３の極とは異なる極となるアースクリップ１３とを備える。【選択図】図３
2020058305.tif 000002
【特許請求の範囲】
【請求項１】
絶縁性材料で形成されており、かつ、棒状である棒状部材と、
該棒状部材の一端に取付けられており、かつ、導電性材料で形成された導電部と、
該導電部が取付けられた前記棒状部材の一端から延びる同棒状部材の延長方向の、鉛直方向下向きに対する角度を検知可能な角度検知部と、
前記導電部への電気的導通のオンとオフを切替え可能なスイッチ部と、
該スイッチ部と電気的に接続されており、かつ、前記角度検知部が、前記導電部が取付けられた前記棒状部材の一端から延びる同棒状部材の延長方向の、鉛直方向下向きに対する角度を検知した結果、同角度が０度以上９０度未満であり、かつ、同スイッチ部がオンに切替えた場合、同導電部に所定の電圧を印加可能な電圧印加回路とを備える
止め刺し器。
【請求項２】
前記導電部は、前記棒状部材に取付けられた側とは反対側が針状である
請求項１に記載の止め刺し器。
【請求項３】
前記スイッチ部は、前記棒状部材の外側表面に取付けられた
請求項１または請求項２に記載の止め刺し器。
【請求項４】
絶縁性材料で形成されており、かつ、棒状である第１の棒状部材と、
該第１の棒状部材の一端に取付けられており、かつ、導電性材料で形成された第１の導電部と、
該第１の導電部が取付けられた前記第１の棒状部材の一端から延びる同第１の棒状部材の延長方向の、鉛直方向下向きに対する角度を検知可能な第１の角度検知部と、
前記第１の棒状部材の外側表面に取付けられており、かつ、前記第１の導電部への電気的導通のオンとオフを切替え可能な第１のスイッチ部と、
前記第１の棒状部材とは別体であり、かつ、絶縁性材料で形成されており、かつ、棒状である第２の棒状部材と、
該第２の棒状部材の一端に取付けられており、かつ、導電性材料で形成された第２の導電部と、
該第２の導電部が取付けられた前記第２の棒状部材の一端から延びる同第２の棒状部材の延長方向の、鉛直方向下向きに対する角度を検知可能な第２の角度検知部と、
前記第２の棒状部材の外側表面に取付けられており、かつ、前記第２の導電部への電気的導通のオンとオフを切替え可能な第２のスイッチ部と、
前記第１のスイッチ部及び前記第２のスイッチ部と電気的に接続されており、かつ、前記第１の角度検知部が、前記第１の導電部が取付けられた前記第１の棒状部材の一端から延びる同第１の棒状部材の延長方向の、鉛直方向下向きに対する角度を検知した結果、同角度が０度以上９０度未満であり、かつ、前記第２の角度検知部が、前記第２の導電部が取付けられた前記第２の棒状部材の一端から延びる同第２の棒状部材の延長方向の、鉛直方向下向きに対する角度を検知した結果、同角度が０度以上９０度未満であり、かつ、前記第１のスイッチ部及び前記第２のスイッチ部がオンに切替えた場合、同第１の導電部及び同第２の導電部に所定の電圧を印加可能な電圧印加回路とを備える
止め刺し器。
【発明の詳細な説明】
【技術分野】
【０００１】
本発明は止め刺し器に関する。詳しくは、例えば捕獲したイノシシを止め刺すための、止め刺し器に係るものである。
【背景技術】
【０００２】
山間の農業地域では、イノシシや鹿などの害獣が田畑へ侵入して、農作物を食い荒らしてしまう食害が多発している。
そこで、害獣の田畑への侵入を防止するために、田畑の周囲に防護柵が設置されている。
【０００３】
防護柵としては、フェンスや電気柵が用いられており、田畑への害獣侵入を防止する上で一定の成果を上げている。
しかし、防護柵に侵入を阻まれた害獣は、他の田畑へ侵入し食害を与える。従って、その田畑の周囲にも防護柵の設置が必要となる。
【０００４】
すなわち、防護柵の設置は、一時凌ぎの食害防止策であることは否めない。
そこで近年、害獣の捕獲が勧められている。
【０００５】
また、箱罠によって捕獲された害獣は、一般的に止め刺され、すなわち屠殺され、食用の肉に加工されたり駆除処分されたりする。しかし、作業者が刃物で害獣を止め刺そうとするとき害獣は大暴れするので、止め刺し作業は容易ではない。
【０００６】
そこで、従来、様々な屠殺用具すなわち止め刺し器が提案されている。
例えば特許文献１には、図７に示す止め刺し器１１０が記載されている。
【０００７】
すなわち、特許文献１に記載の止め刺し器１１０は、金属針部１１２を先端に有する竿体１１１と、金属針部１１２に接続した通電コード１１３と、通電コードに接続したバッテリ部１１４と、バッテリ部１１４からの直流電圧を昇圧するための電源昇圧部１１５と、ＤＣ／ＡＣインバーター１１６と、通電コード１１３に設けられた電源スイッチ１１７とを備える。
【０００８】
また、バッテリ部１１４と電源昇圧部１１５とＤＣ／ＡＣインバーター１１６は携行可能に構成されている。
また、インバーター１１６の側壁に配設された負電極の出力端子に電線１２６の一端が連結されており、電線１２６の他端にクリップ１２２が取付けられている。
また、クリップ１２２は、アースのために檻１２３を構成する金属製網体の一部に電気的に連結される。
【先行技術文献】
【特許文献】
【０００９】
【特許文献１】特開２０１５−８４７２８号公報
【発明の概要】
【発明が解決しようとする課題】
【００１０】
しかしながら、特許文献１に記載の止め刺し器を使用した場合、止め刺し作業者以外に害獣の周囲に人が立っているときに、止め刺し器の金属針部が、害獣ではなく害獣の周囲に立っている、止め刺し作業者以外の人に当たってしまうと、止め刺し作業者が意図しない電圧の印加が発生し、金属針部が当てられた人を負傷させてしまうという問題があった。
【００１１】
本発明は、以上の点に鑑みて創案されたものであり、止め刺し作業者が意図しない電圧の印加を抑制できる止め刺し器を提供することを目的とする。
【課題を解決するための手段】
【００１２】
上記の目的を達成するために、本発明の止め刺し器は、絶縁性材料で形成されており、かつ、棒状である棒状部材と、該棒状部材の一端に取付けられており、かつ、導電性材料で形成された導電部と、該導電部が取付けられた前記棒状部材の一端から延びる同棒状部材の延長方向の、鉛直方向下向きに対する角度を検知可能な角度検知部と、前記導電部への電気的導通のオンとオフを切替え可能なスイッチ部と、該スイッチ部と電気的に接続されており、かつ、前記角度検知部が、前記導電部が取付けられた前記棒状部材の一端から延びる同棒状部材の延長方向の、鉛直方向下向きに対する角度を検知した結果、同角度が０度以上９０度未満であり、かつ、同スイッチ部がオンに切替えた場合、同導電部に所定の電圧を印加可能な電圧印加回路とを備える。
【００１３】
ここで、導電部が取付けられた棒状部材の一端から延びる棒状部材の延長方向の、鉛直方向下向きに対する角度を検知可能な角度検知部と、スイッチ部と電気的に接続されており、かつ、角度検知部が、導電部が取付けられた棒状部材の一端から延びる棒状部材の延長方向の、鉛直方向下向きに対する角度を検知した結果、角度が０度以上９０度未満であり、かつ、スイッチ部がオンに切替えた場合、導電部に所定の電圧を印加可能な電圧印加回路とによって、害獣を止め刺すときの一般的な姿勢を電圧印加のための条件とすることができる。
【００１４】
また、導電部への電気的導通のオンとオフを切替え可能なスイッチ部によって、電圧印加のための角度条件を満たした状態で、止め刺し作業者が希望する瞬間に所定の電圧を印加することができる。
ここで、「所定の電圧」とは、害獣に衝撃を与え、害獣を気絶または死に至らしめることができる程度の電圧を意味する。
【００１５】
また、本発明の止め刺し器において、導電部は、棒状部材に取付けられた側とは反対側が針状である構成とすることができる。
【００１６】
この場合、導電部を害獣に突き刺し易い。
【００１７】
さらに、本発明の止め刺し器において、スイッチ部は、棒状部材の外側表面に取付けられた構成とすることができる。
【００１８】
この場合、止め刺し作業者が棒状部材を掴んでいる状態で電気的導通のオンとオフを切替えることができるので、切替えを行い易い。
【００１９】
また、上記の目的を達成するために、本発明の止め刺し器は、絶縁性材料で形成されており、かつ、棒状である第１の棒状部材と、該第１の棒状部材の一端に取付けられており、かつ、導電性材料で形成された第１の導電部と、該第１の導電部が取付けられた前記第１の棒状部材の一端から延びる同第１の棒状部材の延長方向の、鉛直方向下向きに対する角度を検知可能な第１の角度検知部と、前記第１の棒状部材の外側表面に取付けられており、かつ、前記第１の導電部への電気的導通のオンとオフを切替え可能な第１のスイッチ部と、前記第１の棒状部材とは別体であり、かつ、絶縁性材料で形成されており、かつ、棒状である第２の棒状部材と、該第２の棒状部材の一端に取付けられており、かつ、導電性材料で形成された第２の導電部と、該第２の導電部が取付けられた前記第２の棒状部材の一端から延びる同第２の棒状部材の延長方向の、鉛直方向下向きに対する角度を検知可能な第２の角度検知部と、前記第２の棒状部材の外側表面に取付けられており、かつ、前記第２の導電部への電気的導通のオンとオフを切替え可能な第２のスイッチ部と、前記第１のスイッチ部及び前記第２のスイッチ部と電気的に接続されており、かつ、前記第１の角度検知部が、前記第１の導電部が取付けられた前記第１の棒状部材の一端から延びる同第１の棒状部材の延長方向の、鉛直方向下向きに対する角度を検知した結果、同角度が０度以上９０度未満であり、かつ、前記第２の角度検知部が、前記第２の導電部が取付けられた前記第２の棒状部材の一端から延びる同第２の棒状部材の延長方向の、鉛直方向下向きに対する角度を検知した結果、同角度が０度以上９０度未満であり、かつ、前記第１のスイッチ部及び前記第２のスイッチ部がオンに切替えた場合、同第１の導電部及び同第２の導電部に所定の電圧を印加可能な電圧印加回路とを備える。
【００２０】
ここで、第１の導電部が取付けられた第１の棒状部材の一端から延びる第１の棒状部材の延長方向の、鉛直方向下向きに対する角度を検知可能な第１の角度検知部と、第２の導電部が取付けられた第２の棒状部材の一端から延びる第２の棒状部材の延長方向の、鉛直方向下向きに対する角度を検知可能な第２の角度検知部と、第１のスイッチ部及び第２のスイッチ部と電気的に接続されており、かつ、第１の角度検知部が、第１の導電部が取付けられた第１の棒状部材の一端から延びる第１の棒状部材の延長方向の、鉛直方向下向きに対する角度を検知した結果、角度が０度以上９０度未満であり、かつ、第２の角度検知部が、第２の導電部が取付けられた第２の棒状部材の一端から延びる第２の棒状部材の延長方向の、鉛直方向下向きに対する角度を検知した結果、角度が０度以上９０度未満であり、かつ、第１のスイッチ部及び第２のスイッチ部がオンに切替えた場合、第１の導電部及び第２の導電部に所定の電圧を印加可能な電圧印加回路とによって、害獣を止め刺すときの一般的な姿勢を電圧印加のための条件とすることができる。
【００２１】
また、電圧を印加するためには、導電部が取付けられた２つの棒状部材それぞれの一端から延びる延長方向の、鉛直方向下向きに対する角度条件と、２箇所に取付けられたスイッチ部がどちらもオンになるという条件を両方満たす必要があるので、電圧印加の条件を厳しくすることができる。
【発明の効果】
【００２２】
本発明に係る止め刺し器は、止め刺し作業者が意図しない電圧の印加を抑制できる。
【図面の簡単な説明】
【００２３】
【図１】本発明を適用した止め刺し器の第１の実施形態を示す概略図である。
【図２】図１に示す本発明を適用した止め刺し器が電圧を印加しないときの止め刺し器の概略回路図である。
【図３】図１に示す本発明を適用した止め刺し器が電圧を印加するときの止め刺し器の概略回路図である。
【図４】本発明を適用した止め刺し器の第２の実施形態を示す概略図である。
【図５】図４に示す本発明を適用した止め刺し器が電圧を印加しないときの止め刺し器の概略回路図である。
【図６】図４に示す本発明を適用した止め刺し器が電圧を印加するときの止め刺し器の概略回路図である。
【図７】従来の止め刺し器の概略図である。
【発明を実施するための形態】
【００２４】
以下、本発明の実施の形態について図面を参照しながら説明し、本発明の理解に供する。
図１は、本発明を適用した止め刺し器の第１の実施形態を示す概略図である。また、図２は、図１に示す本発明を適用した止め刺し器が電圧を印加しないときの止め刺し器の概略回路図である。また、図３は、図１に示す本発明を適用した止め刺し器が電圧を印加するときの止め刺し器の概略回路図である。
【００２５】
図１に示す本発明の止め刺し器１は、絶縁棒２を備える。
ここで、絶縁棒２は絶縁性材料で形成されており、棒状である。
また、絶縁棒は棒状部材の一例である。
【００２６】
また、本発明の止め刺し器１は、刺針３を備える。
ここで、刺針３は絶縁棒２の一端に取付けられており、かつ、導電性材料で形成されている。
また、刺針３の、絶縁棒２に取付けられた側とは反対側が針状となっている。
また、刺針は導電部の一例である。
【００２７】
また、本発明の止め刺し器１は、角度センサー４を備える。
ここで、角度センサー４は、刺針３が取付けられた絶縁棒２の一端から延びる絶縁棒２の延長方向すなわち図３に示す延長線１６の、鉛直方向下向きすなわち図３に示す鉛直方向下向き線１５に対する角度Ａを検知可能である。
また、角度センサーは角度検知部の一例である。
【００２８】
また、本発明において延長線や鉛直方向下向き線は、図面にのみ示される実体のない線である。
【００２９】
また、刺針３が延びる方向は、絶縁棒２が延びる方向と同じ方向である。すなわち、刺針３は絶縁棒２が延びる方向の延長線１６上に延びている。
このような構成にすることによって、刺針３が取付けられた絶縁棒２の一端から延びる絶縁棒２の延長方向の、鉛直方向下向きに対する角度すなわち延長線１６の鉛直方向下向き線１５に対する角度Ａと、絶縁棒２の一端に取付けられた刺針３の鉛直方向下向きに対する角度とが一致し、止め刺し作業者は絶縁棒２若しくは刺針３のいずれか一方の角度を気にするだけで済む。
【００３０】
刺針３が取付けられた絶縁棒２の一端から延びる延長方向の、鉛直方向下向きに対する角度が０度以上９０度未満であるということは、絶縁棒２及び刺針３が水平未満の方向すなわち斜め下方向に向いていることを意味する。
【００３１】
一方、刺針３が取付けられた絶縁棒２の一端から延びる延長方向の、鉛直方向下向きに対する角度が９０度以上であるということは、絶縁棒２及び刺針３が水平以上の方向すなわち斜め上方向に向いていることを意味する。
【００３２】
また、本発明の止め刺し器１は、スイッチ部５を備える。
ここで、スイッチ部５は、刺針３への電気的導通のオンとオフを切替え可能である。
すなわち、スイッチ部５がオンに切替えると、刺針３と電池などの他の電子部材との間の電流経路が繋がることを意味する。
また、スイッチ部５は、絶縁棒２の外側表面に取付けられている。
【００３３】
また、本発明の止め刺し器１は、電源装置６を備える。
ここで、電源装置６は、図２及び図３に示すように電圧印加回路７を有する。
【００３４】
また、電圧印加回路７は、リレー回路８と、イノシシなどに衝撃を与えイノシシなどを気絶または死に至らしめることができる程度の電圧である衝撃電圧を発生する衝撃電圧発生器９と、電力を供給する蓄電池１０とを有する。
また、リレー回路８と、衝撃電圧発生器９と、蓄電池１０とは互いに電気的に接続されている。
【００３５】
また、衝撃電圧はパルス状電圧であり、例えば、平均電圧値が１００Ｖ、周波数が５０Ｈｚ、出力時間が１８ミリ秒であることが好ましい。この条件であれば、イノシシなどの害獣を効果的に致死させることができるからである。
【００３６】
また、電圧印加回路７は、角度センサー４と導電線１４を介して電気的に接続されている。
すなわち、電圧印加回路７のリレー回路８及び蓄電池１０と、角度センサー４とが導電線１４を介して電気的に接続されている。
【００３７】
また、電圧印加回路７は、スイッチ部５と導電線１４を介して電気的に接続されている。
すなわち、電圧印加回路７のリレー回路８とスイッチ部５とが導電線１４を介して電気的に接続されている。
【００３８】
また、電圧印加回路７は、角度センサー４が、刺針３が取付けられた絶縁棒２の一端から延びる絶縁棒２の延長方向すなわち延長線１６の、鉛直方向下向きすなわち鉛直方向下向き線１５に対する角度Ａを検知した結果、角度Ａが０度以上９０度未満であり、かつ、スイッチ部５がオンに切替えた場合、刺針３に衝撃電圧を印加可能である。
【００３９】
ここで、角度センサー４が、刺針３が取付けられた絶縁棒２の一端から延びる絶縁棒２の延長方向すなわち延長線１６の、鉛直方向下向きすなわち鉛直方向下向き線１５に対する角度Ａを検知した結果、角度Ａが０度以上９０度未満である場合、リレー回路８は「オン」になる。
また、角度センサー４が角度Ａを検知した結果、角度Ａが９０度以上である場合、リレー回路８は「オフ」になる。
【００４０】
また、角度センサー４と電圧印加回路７とを接続する導電線１４、及びスイッチ部５と電圧印加回路７とを接続する導電線１４は、第１の導電コード１１内に収められている。
【００４１】
また、本発明の止め刺し器１は、アース部であるアースクリップ１３を備える。
ここで、アースクリップ１３は、電圧印加回路７と導電線１４を介して電気的に接続されており、かつ、刺針３に衝撃電圧が印加されたときに刺針３の極とは異なる極となる。
【００４２】
また、アースクリップ１３は、イノシシなどを入れておくための檻を構成する金属製網体の一部を挟持して電気的に連結できる構成となっている。
また、電圧印加回路７とアースクリップ１３とを接続する導電線１４は、第２の導電コード１２内に収められている。
【００４３】
また、本発明の止め刺し器において、導電部は、必ずしも棒状部材に取付けられた側とは反対側が針状でなくてもよいが、針状であればイノシシなどの害獣に突き刺し易いので好ましい。
【００４４】
また、本発明の止め刺し器において、スイッチ部は、必ずしも棒状部材の外側表面に取付けられていなくてもよい。
しかし、スイッチ部が棒状部材の外側表面に取付けられていれば、止め刺し作業者が棒状部材を掴んでいる状態で電気的導通のオンとオフを切替えることができ、切替えを行い易いので好ましい。
【００４５】
また、本発明の止め刺し器は、２本の絶縁棒を備え、２本の絶縁棒のうち１本だけに角度検知部とスイッチ部とが取付けられた構成とすることも可能であるが、角度検知部は、その角度検知部が取付けられた絶縁棒の角度しか検知しないので、安全のためには２本の絶縁棒の両方に角度検知部とスイッチ部とを取付けた方が良い。
【００４６】
また、本発明の止め刺し器１を用いて、金属製の檻に入れられたイノシシを止め刺す場合、アースクリップ１３を檻の金属製網体の一部に連結してアースを取り、絶縁棒２及び刺針３が水平未満の方向へ向くように傾け、スイッチ部５を押して刺針３への電気的導通をオンに切替えて、例えば、刺針３をイノシシの首筋の筋肉まで刺し込み、衝撃電圧をイノシシに印加する。
【００４７】
次に、第１の実施形態の本発明の止め刺し器１を様々なパターンで操作し、衝撃電圧が発生するか否かを調べた（実施例１−４）。結果を表１に示す。
また、角度センサーや電圧印加回路７のような機能を備えていない従来の止め刺し器を様々なパターンで操作し、衝撃電圧が発生するか否かを調べた（比較例１−２）。結果を表１に示す。
【００４８】
（実施例１）
絶縁棒２及び刺針３を水平以上の方向へ向けており、かつ、スイッチ部５は刺針３と電圧印加回路７との間の電気的導通を「オフ」に切替えた操作を行った。
【００４９】
（実施例２）
絶縁棒２及び刺針３を水平以上の方向へ向けており、かつ、スイッチ部５は刺針３と電圧印加回路７との間の電気的導通を「オン」に切替えた操作を行った。
【００５０】
（実施例３）
絶縁棒２及び刺針３を水平未満の方向へ向けており、かつ、スイッチ部５は刺針３と電圧印加回路７との間の電気的導通を「オフ」に切替えた操作を行った。
【００５１】
（実施例４）
絶縁棒２及び刺針３を水平未満の方向へ向けており、かつ、スイッチ部５は刺針３と電圧印加回路７との間の電気的導通を「オン」に切替えた操作を行った。
【００５２】
（比較例１）
従来の止め刺し器のスイッチを「オフ」に切替えた操作を行った。
【００５３】
（比較例２）
従来の止め刺し器のスイッチを「オン」に切替えた操作を行った。
【００５４】
【表１】
2020058305.tif 000003
【００５５】
表１から判るように、たとえ止め刺し作業者がスイッチ部５を「オン」にしていても、絶縁棒２及び刺針３が水平以上に傾いている場合、電圧印加回路７のリレー回路８は「オフ」になり、本発明の止め刺し器１は衝撃電圧を発生させない。
【００５６】
従って、例えばイノシシに衝撃電圧を印加しようとして、止め刺し作業者が本発明の止め刺し器１のスイッチ部５を「オン」にしていたときに、意図せず絶縁棒２及び刺針３を水平以上に傾けて、イノシシの周囲に立っている、止め刺し作業者以外の人に刺針３が当たってしまっても、本発明の止め刺し器１であればその人に衝撃電圧を印加することはない。
【００５７】
一方、止め刺し作業者が従来の止め刺し器のスイッチを「オン」にしていたときに、意図せず絶縁棒や刺針を水平以上に傾けて、イノシシの周囲に立っている、止め刺し作業者以外の人に刺針が当たってしまうと、従来の止め刺し器はその人に衝撃電圧を印加してしまう。
【００５８】
図４は、本発明を適用した止め刺し器の第２の実施形態を示す概略図である。また、図５は、図４に示す本発明を適用した止め刺し器が電圧を印加しないときの止め刺し器の概略回路図である。また、図６は、図４に示す本発明を適用した止め刺し器が電圧を印加するときの止め刺し器の概略回路図である。
【００５９】
図４に示す本発明の止め刺し器２１は、第１の絶縁棒２２を備える。
ここで、第１の絶縁棒２２は、絶縁性材料で形成されており、かつ、棒状である。
また、第１の絶縁棒は第１の棒状部材の一例である。
【００６０】
また、本発明の止め刺し器２１は、第１の刺針２４を備える。
ここで、第１の刺針２４は、第１の絶縁棒２２の一端に取付けられており、かつ、導電性材料で形成されている。
また、第１の刺針２４の、第１の絶縁棒２２に取付けられた側とは反対側が針状となっている。
また、第１の刺針は第１の導電部の一例である。
【００６１】
また、本発明の止め刺し器２１は、第２の絶縁棒２３を備える。
ここで、第２の絶縁棒２３は、第１の絶縁棒２２とは別体であり、かつ、絶縁性材料で形成されており、かつ、棒状である。
また、第２の絶縁棒は第２の棒状部材の一例である。
【００６２】
また、本発明の止め刺し器２１は、第２の刺針２５を備える。
ここで、第２の刺針２５は、第２の絶縁棒２３の一端に取付けられており、かつ、導電性材料で形成されている。
また、第２の刺針２５の、第２の絶縁棒２３に取付けられた側とは反対側が針状となっている。
また、第２の刺針は第２の導電部の一例である。
【００６３】
また、本発明の止め刺し器２１は、第１の角度センサー２６を備える。
ここで、第１の角度センサー２６は、第１の刺針２４が取付けられた第１の絶縁棒２２の一端から延びる第１の絶縁棒２２の延長方向すなわち図６に示す第１の延長線４０の、鉛直方向下向きすなわち図６に示す第１の鉛直方向下向き線３９に対する角度Ｘを検知可能である。
【００６４】
また、第１の刺針２４が延びる方向は、第１の絶縁棒２２が延びる方向と同じ方向である。すなわち、第１の刺針２４は第１の絶縁棒２２が延びる方向の第１の延長線４０上に延びている。
【００６５】
また、本発明の止め刺し器２１は、第２の角度センサー２７を備える。
ここで、第２の角度センサー２７は、第２の刺針２５が取付けられた第２の絶縁棒２３の一端から延びる第２の絶縁棒２３の延長方向すなわち図６に示す第２の延長線４２の、鉛直方向下向きすなわち図６に示す第２の鉛直方向下向き線４１に対する角度Ｙを検知可能である。
【００６６】
また、第２の刺針２５が延びる方向は、第２の絶縁棒２３が延びる方向と同じ方向である。すなわち、第２の刺針２５は第２の絶縁棒２３が延びる方向の第２の延長線４２上に延びている。
【００６７】
また、本発明の止め刺し器２１は、第１のスイッチ部２８を備える。
ここで、第１のスイッチ部２８は、第１の絶縁棒２２の外側表面に取付けられており、かつ、第１の刺針２４への電気的導通のオンとオフを切替え可能である。
すなわち、第１のスイッチ部２８がオンに切替えると、第１の刺針２４と電池などの他の電子部材との間の電流経路が繋がることを意味する。
【００６８】
また、本発明の止め刺し器２１は、第２のスイッチ部２９を備える。
ここで、第２のスイッチ部２９は、第２の絶縁棒２３の外側表面に取付けられており、かつ、第２の刺針２５への電気的導通のオンとオフを切替え可能である。
【００６９】
また、本発明の止め刺し器２１は、電源装置３０を備える。
ここで、電源装置３０は、図５及び図６に示すように電圧印加回路３１を有する。
【００７０】
また、電圧印加回路３１は、第１のリレー回路３２と、第２のリレー回路３３と、衝撃電圧を発生する衝撃電圧発生器３４と、電力を供給する蓄電池３５とを有する。
【００７１】
また、第１のリレー回路３２と、第２のリレー回路３３と、衝撃電圧発生器３４と、蓄電池３５とは互いに電気的に接続されている。
【００７２】
また、電圧印加回路３１は、第１の角度センサー２６及び第２の角度センサー２７と、導電線３８を介して電気的に接続されている。
すなわち、電圧印加回路３１の蓄電池３５と第１の角度センサー２６とが導電線３８を介して電気的に接続されている。
【００７３】
また、電圧印加回路３１の第１のリレー回路３２及び第２のリレー回路３３と、第２の角度センサー２７とが導電線３８を介して電気的に接続されている。
また、第１の角度センサー２６と第２の角度センサー２７も互いに導電線３８を介して電気的に接続されている。
【００７４】
また、電圧印加回路３１は、第１のスイッチ部２８及び第２のスイッチ部２９と、導電線３８を介して電気的に接続されている。
すなわち、電圧印加回路３１の第１のリレー回路３２と第１のスイッチ部２８とが、導電線３８を介して電気的に接続されており、また、電圧印加回路３１の第２のリレー回路３３と第２のスイッチ部２９とが、導電線３８を介して電気的に接続されている。
【００７５】
また、電圧印加回路３１は、第１の角度センサー２６が、第１の刺針２４が取付けられた第１の絶縁棒２２の一端から延びる第１の絶縁棒２２の延長方向すなわち第１の延長線４０の、鉛直方向下向きすなわち第１の鉛直方向下向き線３９に対する角度Ｘを検知した結果、角度Ｘが０度以上９０度未満であり、かつ、第２の角度センサー２７が、第２の刺針２５が取付けられた第２の絶縁棒２３の一端から延びる第２の絶縁棒２３の延長方向すなわち第２の延長線４２の、鉛直方向下向きすなわち第２の鉛直方向下向き線４１に対する角度Ｙを検知した結果、角度Ｙが０度以上９０度未満であり、かつ、第１のスイッチ部２８及び第２のスイッチ部２９がオンに切替えた場合、第１の刺針２４及び第２の刺針２５に衝撃電圧を印加可能である。
【００７６】
ここで、第１の角度センサー２６が、第１の刺針２４が取付けられた第１の絶縁棒２２の一端から延びる第１の絶縁棒２２の延長方向すなわち第１の延長線４０の、鉛直方向下向きすなわち第１の鉛直方向下向き線３９に対する角度Ｘを検知した結果、角度Ｘが０度以上９０度未満であると共に、第２の角度センサー２７が、第２の刺針２５が取付けられた第２の絶縁棒２３の一端から延びる第２の絶縁棒２３の延長方向すなわち第２の延長線４２の、鉛直方向下向きすなわち第２の鉛直方向下向き線４１に対する角度Ｙを検知した結果、角度Ｙが０度以上９０度未満である場合、第１のリレー回路３２及び第２のリレー回路３３の両方が「オン」になる。
【００７７】
一方、角度Ｘ及び角度Ｙのうちいずれか一方が９０度以上である場合、第１のリレー回路３２及び第２のリレー回路３３の両方は「オフ」になる。
【００７８】
また、第１の角度センサー２６と電圧印加回路３１とを接続する導電線３８、及び第１のスイッチ部２８と電圧印加回路３１とを接続する導電線３８は、第１の導電コード３６内に収められている。
【００７９】
また、第２の角度センサー２７と電圧印加回路３１とを接続する導電線３８、及び第２のスイッチ部２９と電圧印加回路３１とを接続する導電線３８は、第２の導電コード３７内に収められている。
【００８０】
また、本発明の止め刺し器２１を用いて、金属製の檻に入れられたイノシシを止め刺す場合、第１の絶縁棒２２と第１の刺針２４並びに第２の絶縁棒２３と第２の刺針２５を水平未満の方向へ向くように傾け、第１のスイッチ部２８及び第２のスイッチ部２９を押して第１の刺針２４及び第２の刺針２５への電気的導通をオンに切替えて、例えば、第１の刺針２４をイノシシの首筋の筋肉まで、そして、第２の刺針２５をイノシシのお尻の筋肉まで、略同時に刺し込み、衝撃電圧をイノシシに印加する。
【００８１】
次に、第２の実施形態の本発明の止め刺し器２１を様々なパターンで操作し、衝撃電圧が発生するか否かを調べた（実施例５−２０）。結果を表２に示す。
また、角度センサーや電圧印加回路３１のような機能を備えていないが、２本の絶縁棒と２つのスイッチを備えた従来の止め刺し器を様々なパターンで操作し、衝撃電圧が発生するか否かを調べた（比較例３−６）。結果を表２に示す。
【００８２】
（実施例５）
第１の絶縁棒２２と第１の刺針２４並びに第２の絶縁棒２３と第２の刺針２５を水平以上の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オフ」に切替えた操作を行った。
【００８３】
（実施例６）
第１の絶縁棒２２と第１の刺針２４並びに第２の絶縁棒２３と第２の刺針２５を水平以上の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オン」に切替えた操作を行った。
【００８４】
（実施例７）
第１の絶縁棒２２と第１の刺針２４並びに第２の絶縁棒２３と第２の刺針２５を水平以上の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オフ」に切替えた操作を行った。
【００８５】
（実施例８）
第１の絶縁棒２２と第１の刺針２４並びに第２の絶縁棒２３と第２の刺針２５を水平以上の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オン」に切替えた操作を行った。
【００８６】
（実施例９）
第１の絶縁棒２２と第１の刺針２４を水平以上の方向へ向けており、かつ、第２の絶縁棒２３と第２の刺針２５を水平未満の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オフ」に切替えた操作を行った。
【００８７】
（実施例１０）
第１の絶縁棒２２と第１の刺針２４を水平以上の方向へ向けており、かつ、第２の絶縁棒２３と第２の刺針２５を水平未満の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オン」に切替えた操作を行った。
【００８８】
（実施例１１）
第１の絶縁棒２２と第１の刺針２４を水平以上の方向へ向けており、かつ、第２の絶縁棒２３と第２の刺針２５を水平未満の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オフ」に切替えた操作を行った。
【００８９】
（実施例１２）
第１の絶縁棒２２と第１の刺針２４を水平以上の方向へ向けており、かつ、第２の絶縁棒２３と第２の刺針２５を水平未満の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オン」に切替えた操作を行った。
【００９０】
（実施例１３）
第１の絶縁棒２２と第１の刺針２４を水平未満の方向へ向けており、かつ、第２の絶縁棒２３と第２の刺針２５を水平以上の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オフ」に切替えた操作を行った。
【００９１】
（実施例１４）
第１の絶縁棒２２と第１の刺針２４を水平未満の方向へ向けており、かつ、第２の絶縁棒２３と第２の刺針２５を水平以上の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オン」に切替えた操作を行った。
【００９２】
（実施例１５）
第１の絶縁棒２２と第１の刺針２４を水平未満の方向へ向けており、かつ、第２の絶縁棒２３と第２の刺針２５を水平以上の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オフ」に切替えた操作を行った。
【００９３】
（実施例１６）
第１の絶縁棒２２と第１の刺針２４を水平未満の方向へ向けており、かつ、第２の絶縁棒２３と第２の刺針２５を水平以上の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オン」に切替えた操作を行った。
【００９４】
（実施例１７）
第１の絶縁棒２２と第１の刺針２４並びに第２の絶縁棒２３と第２の刺針２５を水平未満の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オフ」に切替えた操作を行った。
【００９５】
（実施例１８）
第１の絶縁棒２２と第１の刺針２４並びに第２の絶縁棒２３と第２の刺針２５を水平未満の方向へ向けており、かつ、第１のスイッチ部２８は第１の刺針２４と電圧印加回路３１との間の電気的導通を「オフ」に切替えており、かつ、第２のスイッチ部２９は第２の刺針２５と電圧印加回路３１との間の電気的導通を「オン」に切替えた操作を行った。
【００９６】
（実施例１９）
第１の絶縁棒２２と第１の刺針２４並びに第２の絶縁棒２３と第２の刺針２５を水平未満の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オフ」に切替えた操作を行った。
【００９７】
（実施例２０）
第１の絶縁棒２２と第１の刺針２４並びに第２の絶縁棒２３と第２の刺針２５を水平未満の方向へ向けており、かつ、第１のスイッチ部２８は第１の刺針２４と電圧印加回路３１との間の電気的導通を「オン」に切替えており、かつ、第２のスイッチ部２９は第２の刺針２５と電圧印加回路３１との間の電気的導通を「オン」に切替えた操作を行った。
【００９８】
（比較例３）
従来の止め刺し器の第１のスイッチ及び第２のスイッチを「オフ」に切替えた操作を行った。
【００９９】
（比較例４）
従来の止め刺し器の第１のスイッチを「オフ」に切替え、第２のスイッチを「オン」に切替えた操作を行った。
【０１００】
（比較例５）
従来の止め刺し器の第１のスイッチを「オン」に切替え、第２のスイッチを「オフ」に切替えた操作を行った。
【０１０１】
（比較例６）
従来の止め刺し器の第１のスイッチ及び第２のスイッチを「オン」に切替えた操作を行った。
【０１０２】
【表２】
2020058305.tif 000004
【０１０３】
表２から判るように、たとえ止め刺し作業者が第１のスイッチ部２８と第２のスイッチ部２９の両方を「オン」にしていても、第１の絶縁棒２２と第１の刺針２４並びに第２の絶縁棒２３と第２の刺針２５が水平以上に傾いていたり、あるいは第１の絶縁棒２２と第１の刺針２４並びに第２の絶縁棒２３と第２の刺針２５のいずれか一方の絶縁棒と刺針が水平以上に傾いていたりする場合、電圧印加回路３１の第１のリレー回路３２及び第２のリレー回路３３は両方「オフ」になり、本発明の止め刺し器２１は衝撃電圧を発生させない。
【０１０４】
従って、例えばイノシシに衝撃電圧を印加しようとして、止め刺し作業者が本発明の止め刺し器２１の第１のスイッチ部２８と第２のスイッチ部２９の両方を「オン」にしていたときに、意図せず第１の絶縁棒２２及び第１の刺針２４、あるいは第２の絶縁棒２３及び第２の刺針２５を水平以上に傾けて、イノシシの周囲に立っている、止め刺し作業者以外の人に第１の刺針２４あるいは第２の刺針２５が当たってしまっても、本発明の止め刺し器２１であればその人に衝撃電圧を印加することはない。
【０１０５】
一方、止め刺し作業者が従来の２本式の止め刺し器の２つのスイッチを両方「オン」にしていたときに、意図せず２本の絶縁棒及び２つの刺針を水平以上に傾けて、イノシシの周囲に立っている、止め刺し作業者以外の人に刺針が当たってしまうと、従来の止め刺し器はその人に衝撃電圧を印加してしまう。
【０１０６】
以上のように、本発明の止め刺し器は、絶縁棒すなわち棒状部材と刺針すなわち導電部を水平未満に傾けると共に、スイッチ部が導電部への電気的導通をオンに切替えた場合に、導電部に衝撃電圧を印加するので、イノシシなどの害獣を止め刺すときの一般的な姿勢を電圧印加のための条件としており、意図せず棒状部材と導電部を水平以上に傾けて、イノシシなどの害獣の周囲に立っている、止め刺し作業者以外の人に導電部が当たってしまっても、当たった人に衝撃電圧を印加することはない。
【０１０７】
従って、本発明の止め刺し器は、止め刺し作業者が意図しない電圧の印加を抑制できる。
【符号の説明】
【０１０８】
１    止め刺し器
２    絶縁棒
３    刺針
４    角度センサー
５    スイッチ部
６    電源装置
７    電圧印加回路
８    リレー回路
９    衝撃電圧発生器
１０    蓄電池
１１    第１の導電コード
１２    第２の導電コード
１３    アースクリップ
１４    導電線
１５    鉛直方向下向き線
１６    延長線
２１    止め刺し器
２２    第１の絶縁棒
２３    第２の絶縁棒
２４    第１の刺針
２５    第２の刺針
２６    第１の角度センサー
２７    第２の角度センサー
２８    第１のスイッチ部
２９    第２のスイッチ部
３０    電源装置
３１    電圧印加回路
３２    第１のリレー回路
３３    第２のリレー回路
３４    衝撃電圧発生器
３５    蓄電池
３６    第１の導電コード
３７    第２の導電コード
３８    導電線
３９    第１の鉛直方向下向き線
４０    第１の延長線
４１    第２の鉛直方向下向き線
４２    第２の延長線
【図１】
2020058305.tif 000005
【図２】
2020058305.tif 000006
【図３】
2020058305.tif 000007
【図４】
2020058305.tif 000008
【図５】
2020058305.tif 000009
【図６】
2020058305.tif 000010
【図７】
2020058305.tif 000011